(57)【要約】【課題】装着対象となる通信モジュール用カードの小型化を図ると共に、装着先のカード用コネクタの省スペース化を図ることができるカード用アダプタを提供すること。【解決手段】通信モジュール用カード５１の装着空間が形成され、基板６１の設置面に載置されたカード用コネクタ３１に装着されるアッパーケース３およびロアケース２と、カード用コネクタ３１に装着された状態で、アッパーケース３およびロアケース２の設置面に対向する上壁２６に設けられたアンテナ１１と、上壁２６に設けられ、通信モジュール用カード５１とアンテナ１１とを接続する接続ライン１３とを備えた。【選択図】図３
2010250654.tif 000002
【特許請求の範囲】
【請求項１】
通信モジュール用カードの装着空間が形成され、所定の設置面に載置されたカード用コネクタに装着される筐体と、
前記筐体が前記カード用コネクタに装着された状態で、前記筐体の前記設置面に対向する壁部に設けられたアンテナと、
前記アンテナが設けられた壁部に設けられ、前記通信モジュール用カードと前記アンテナとを接続するアンテナ接続部とを備えたことを特徴とするカード用アダプタ。
【請求項２】
前記アンテナは、前記筐体の前記装着空間に連なる挿入口側に設けられたことを特徴とする請求項１に記載のカード用アダプタ。
【請求項３】
前記筐体は、前記設置面に設置されるハウジングと、前記ハウジングに取り付けられて前記装着空間を形成する蓋体とを有し、
前記アンテナおよび前記アンテナ接続部は、前記ハウジングおよび前記蓋体の少なくとも一方の前記設置面に対向する壁部に設けられたことを特徴とする請求項１または請求項２に記載のカード用アダプタ。
【請求項４】
前記アンテナは、前記ハウジングの前記設置面に対向する壁部の前記装着空間に連なる挿入口側の端面および前記挿入口を形成する上面から露出するように設けられたことを特徴とする請求項３に記載のカード用アダプタ。
【発明の詳細な説明】
【技術分野】
【０００１】
本発明は、カード用アダプタに関し、特に、無線通信用のアンテナを内蔵したカード用アダプタに関する。
【背景技術】
【０００２】
近年、カード用コネクタに装着されるカードの小型化が急速に進んでおり、カードをカード用アダプタに装着することにより、対象カードよりも小型のカードをカード用コネクタに装着可能としている。このカード用アダプタに装着されるカードとして、携帯用電子機器に無線通信機能を付加する通信モジュール用カードが知られている。この通信モジュール用カードは、内部に無線通信用のアンテナを有して構成されており、アンテナ分だけカードサイズが大きくなっていた。
【０００３】
この問題を解決するため、カード用アダプタに無線通信用のアンテナを内蔵したものが知られている（特許文献１参照）。この特許文献１に記載されたカード用アダプタは、カード用コネクタの挿入口に合わせて筐体が形成されており、筐体の後端側は挿入方向に延在する一対のレール部を残して開放されている。一対のレール部は、通信モジュール用カードの挿入を誘導可能に構成され、通信モジュール用カードの装着空間を形成している。また、一対のレール部間には、装着空間を避けるように補強用の橋梁部が設けられて相互に接続されている。橋梁部内にはアンテナが設けられており、アンテナは一対のレール部内に設けられたアンテナ接続部を介して筐体内に内蔵された制御部に接続されている。
【０００４】
このカード用アダプタに通信モジュール用カードが装着されると、カード用アダプタのアンテナと通信モジュール用カードに内蔵された制御部とが接続される。さらに、この通信モジュール用カードが装着されたカード用アダプタがカード用コネクタに装着されると、通信モジュール用カードがカード用アダプタを介してカード用コネクタに接続される。そして、通信モジュール用カード内の制御部において、アンテナで送受信される高周波信号が処理されると共に、カード用コネクタが設置された基板を介して携帯用電子機器との間で信号処理が制御されて、携帯用電子機器に無線通信機能が付加される。
【先行技術文献】
【特許文献】
【０００５】
【特許文献１】特開２００４−３１０５２９号公報
【発明の概要】
【発明が解決しようとする課題】
【０００６】
ところで、携帯用電子機器の小型化に伴い、基板に設置される他の電子部品とのバランスからカード用コネクタの設置スペースの省スペース化が望まれている。しかしながら、上記したような従来のカード用アダプタは、一対のレール部内にアンテナ接続部が設けられた分だけ幅寸法が大きくなるため、カード用コネクタの挿入口の幅寸法を大きくとらなければならなかった。このため、従来のカード用アダプタでは、カード用コネクタが大型化してしまい、カード用コネクタの設置スペースの省スペース化を図ることが困難となっていた。
【０００７】
本発明はこのような実情に鑑みてなされたものであり、装着対象となる通信モジュール用カードの小型化を図ると共に、装着先のカード用コネクタの省スペース化を図ることができるカード用アダプタを提供することを目的とする。
【課題を解決するための手段】
【０００８】
本発明のカード用アダプタは、通信モジュール用カードの装着空間が形成され、所定の設置面に載置されたカード用コネクタに装着される筐体と、前記筐体が前記カード用コネクタに装着された状態で、前記筐体の前記設置面に対向する壁部に設けられたアンテナと、前記アンテナが設けられた壁部に設けられ、前記通信モジュール用カードと前記アンテナとを接続するアンテナ接続部とを備えたことを特徴とする。
【０００９】
この構成によれば、カード用アダプタにアンテナが設けられるため、アンテナ分だけ装着対象となる通信モジュール用カードのサイズを小型化することができる。また、カード用アダプタは、カード用コネクタに装着された状態で、カード用コネクタが設置される設置面に対向する壁部にアンテナおよびアンテナ接続部が設けられるため、例えば、側壁等の設置面に垂直な壁部の壁厚を大きくとる必要がない。したがって、カード用アダプタの設置面に対する投影面積を小さくすることにより、カード用アダプタが装着されるカード用コネクタの設置スペースを省スペース化することができる。
【００１０】
また本発明は、上記カード用アダプタにおいて、前記アンテナは、前記筐体の前記装着空間に連なる挿入口側に設けられたことを特徴とする。
【００１１】
この構成によれば、カード用コネクタが、例えば、携帯用電子機器に実装されたときに、携帯用電子機器から露出するカード用アダプタの挿入口側にアンテナが設けられるため、電波の送受信感度を向上させることができる。
【００１２】
また本発明は、上記カード用アダプタにおいて、前記筐体は、前記設置面に設置されるハウジングと、前記ハウジングに取り付けられて前記装着空間を形成する蓋体とを有し、前記アンテナおよび前記アンテナ接続部を、前記ハウジングおよび前記蓋体の少なくとも一方の前記設置面に対向する壁部に設ける構成とすることができる。
【００１３】
また本発明は、上記カード用アダプタにおいて、前記アンテナは、前記ハウジングの前記設置面に対向する壁部の前記装着空間に連なる挿入口側の端面および前記挿入口を形成する上面から露出するように設けられたことを特徴とする。
【００１４】
この構成によれば、アンテナがハウジングの壁部の挿入口側の端面および挿入口を形成する上面から露出するため、多方向の電波を受けることができる。
【発明の効果】
【００１５】
本発明によれば、装着対象となる通信モジュール用カードの小型化を図ると共に、設置スペースの省スペース化を図ることができる。
【図面の簡単な説明】
【００１６】
【図１】本発明に係るカード用アダプタの実施の形態を示す図であり、カード用コネクタの斜視図である。
【図２】本発明に係るカード用アダプタの実施の形態を示す図であり、カード用コネクタから蓋体を外した斜視図である。
【図３】本発明に係るカード用アダプタの実施の形態を示す図であり、カード用アダプタの斜視図である。
【図４】本発明に係るカード用アダプタの実施の形態を示す図であり、カード用アダプタから蓋体を外した斜視図である。
【図５】本発明に係るカード用アダプタの実施の形態を示す図であり、カード用アダプタへの通信モジュール用カードの装着およびカード用コネクタへのカード用アダプタの装着を説明する図である。
【図６】本発明に係るカード用アダプタの変形例を示す図である。
【図７】本発明に係るカード用アダプタの実施の形態を示す図であり、通信モジュール用カードの平面図である。
【発明を実施するための形態】
【００１７】
以下、本発明の実施の形態について添付図面を参照して詳細に説明する。なお、本発明に係るカード用アダプタは、アンテナ付きの変換アダプタであり、ノート型ＰＣ等の携帯用電子機器のカード用コネクタに対象カードよりも小型の通信モジュール用カードを装着可能とするものである。以下においては、本発明をノート型ＰＣ等の携帯用電子機器に用いられるカード用アダプタに適用する場合について説明する。しかしながら、本実施の形態に係るカード用アダプタの適用対象については、これに限定されるものではなく適宜変更が可能である。
【００１８】
まず、本実施の形態に係るカード用アダプタについて説明する前に装着対象となる通信モジュール用カードについて説明する。図７は、本発明の実施の形態に係る通信モジュール用カードの平面図であり、（ａ）が上面図、（ｂ）が背面図をそれぞれ示している。
【００１９】
図７（ａ）、（ｂ）に示すように、通信モジュール用カード５１は、いわゆるＳＤメモリカードであり、上面視略矩形状に形成されている。通信モジュール用カード５１の一の角部には、切り欠かれて約４５度に傾斜した傾斜面５２が形成されている。傾斜面５２は、通信モジュール用カード５１の挿入方向を識別するのに用いられ、この傾斜面５２が形成されている側が挿入方向における前端側とされ、逆側が挿入方向における後端側とされる。
【００２０】
通信モジュール用カード５１の前端面には、カード用アダプタ１の後述するピン端子１２に接続される図示しないソケット部が形成されている。通信モジュール用カード５１の前端側の背面には、挿入方向に延在する複数の仕切りによって複数の溝部５３が形成されている。各溝部５３には、カード用アダプタ１のコンタクト端子４１に接触するパッド５４が設けられている。
【００２１】
通信モジュール用カード５１の一の側面には、カード用アダプタ１の後述する係止バネ２１に係止される切欠部５５が形成されている。また、通信モジュール用カード５１の内部には、複数の電子部品等により構成された図示しない制御部が設けられている。制御部は、ソケット部を介してカード用アダプタ１のアンテナ１１に送受信される高周波信号を処理すると共に、図示しないＩ／Ｆコントローラによりパッド５４を介して携帯用電子機器との間で信号処理を制御している。
【００２２】
図１および図２を参照して、カード用アダプタが装着されるカード用コネクタの全体構成について説明する。図１は、本発明の実施の形態に係るカード用コネクタの斜視図である。図２は、本発明の実施の形態に係るカード用アダプタから蓋体を外した斜視図である。
【００２３】
図１および図２に示すように、本実施の形態に係るカード用コネクタ３１は、挿入口３４を外部に露出した状態で、携帯用電子機器の基板６１に設置される。カード用コネクタ３１は、上面および前面が開口されたコネクタ本体３２と、コネクタ本体３２の上面の開口に装着されて通信モジュール用カード５１の装着空間を形成する蓋体３３とを備え、コネクタ本体３２および蓋体３３が組み合わされて挿入口３４を有する箱状体をなしている。コネクタ本体３２の奥壁３６には、複数のコンタクト端子４１が設けられている。奥壁３６に設けられた各コンタクト端子４１は、奥壁３６から挿入口３４側に向かって延在している。
【００２４】
コネクタ本体３２の一の側壁３７には、側壁３７に沿ってスライド可能なスライド部材４２と、スライド部材４２のスライドに伴って伸縮するコイル状の図示しない排出バネとが設けられている。排出バネは、一端が奥壁３６に当接され、他端がスライド部材４２に当接されており、スライド部材４２を排出方向に付勢している。
【００２５】
スライド部材４２は、カード用アダプタ１の前端面に当接する当接部４３を有し、カード用アダプタ１と共に挿入方向および排出方向にスライド可能に構成されている。スライド部材４２の前端側には図示しないハートカム溝が形成されており、このハートカム溝と側壁３７の前端側に設けられたピン４４によりスライド部材４２の位置が規定される。ピン４４は、側壁３７に沿って延在し、両端が底壁３５に向かって略直角に屈曲している。ピン４４の一端は、側壁３７の前端側に回動可能に支持され、他端はスライド部材４２のハートカム溝上に摺動される。
【００２６】
ハートカム溝は、複数の段差と傾斜を有して上面視ハート型の環状に形成されており、スライド部材４２のスライドに応じてピン４４の他端を一方向に摺動させる。スライド部材４２が奥壁３６近傍の装着位置に押し込まれると、ピン４４の他端がハートカム溝の係止部分に係止され、排出バネの付勢によるスライド部材４２の復帰が規制される。この状態からさらにスライド部材４２が押し込まれると、ピン４４とハートカム溝との係止状態が解除されて、排出バネの付勢力によりスライド部材４２が復帰される。このように、ピン４４とハートカム溝は、スライド部材４２の装着位置における保持機能を有している。
【００２７】
また、スライド部材４２には、挿入方向に延在する金属性の板バネ４５が設けられており、板バネ４５の板面には装着空間内に突出する係止突起４６が形成されている。この係止突起４６により、カード用アダプタ１が係止され、カード用アダプタ１がカード用コネクタ３１に抜き差し可能に保持される。
【００２８】
蓋体３３は、金属性の板材を折り曲げて形成されており、上面の側壁３７に対応する部分にはピン４４を押えるピン押え４７が形成されている。ピン押え４７は、底壁３５側に切り起された片持ちバネであり、ピン４４の中間部分を下方に押圧してピン４４の他端をハートカム溝に押し付けている。また、蓋体３３上面の挿入口３４側の略半部には、カード用アダプタ１の飛び出し防止用の一対の制動片４８が形成されている。一対の制動片４８は、底壁３５側に僅かに切り起された片持ちバネであり、カード用アダプタ１の上面に接触して、カード用アダプタ１の排出時の飛び出しを抑制している。
【００２９】
図３および図４を参照して、カード用アダプタの全体構成について説明する。図３は、本発明の実施の形態に係るカード用アダプタの斜視図である。図４は、本発明の実施の形態に係るカード用アダプタ分解斜視図であり、（ａ）はハウジングの内面側を上方に向けた状態、（ｂ）は蓋体の内面側を上方に向けた状態をそれぞれ示している。
【００３０】
図３および図４に示すように、本実施の形態に係るカード用アダプタ１は、上面および前面が開口されたロアケース２と、ロアケース２の上面の開口に装着されて通信モジュール用カード５１の装着空間を形成するアッパーケース３とを備え、ロアケース２にアッパーケース３が組み合わされて挿入口４を有する箱状体をなしている。ロアケース２およびアッパーケース３は絶縁樹脂により形成されており、アッパーケース３には複数（本実施の形態では３つ）のアンテナ１１が設けられている。また、カード用アダプタ１においては、挿入口４が形成されていない側がカード用コネクタ３１への挿入方向における前端側とされ、挿入口４が形成されている側が挿入方向における後端側とされる。
【００３１】
ロアケース２の前端側には、装着された通信モジュール用カード５１とカード用コネクタ３１とを電気的に接続する端子部１５が設けられている。端子部１５は、絶縁樹脂により上面視矩形状に形成された固定基板１６を有し、固定基板１６の下面にはロアケース２の幅方向に沿って一列に複数のパッド１７が固定されている。この場合、ロアケース２の底壁５の複数のパッド１７に対向する部分には、図示しない開口が形成されており、この開口を介して複数のパッド１７が外部に露出される。この端子部１５の外部に露出された複数のパッド１７には、カード用コネクタ３１の複数のコンタクト端子４１が接触される。
【００３２】
また、複数のパッド１７は、ロアケース２内において幅方向に延在する連結部１８により連結され、連結部１８には複数のコンタクト端子１９が設けられている。複数のコンタクト端子１９は、通信モジュール用カード５１の複数のパッド５４に対応して設けられ、連結部１８から挿入口４側に向かって延在している。この端子部１５の複数のコンタクト端子１９には、通信モジュール用カード５１の複数のパッド５４が接触される。
【００３３】
連結部１８には、ロアケース２の一の側壁７に沿って延在する係止バネ２１が連結されている。係止バネ２１は、連結部１８から挿入口４側に向かって延在し、先端側に上方に凸となるように折り曲げられた係止部２２が形成されている。この係止部２２により、通信モジュール用カード５１の切欠部５５が係止され、通信モジュール用カード５１がカード用アダプタ１に抜き差し可能に保持される。
【００３４】
ロアケース２の側壁６、７の後端側には、外側面から外方に突出する挿入規制部２４が設けられており、挿入規制部２４によりカード用アダプタ１のカード用コネクタ３１への逆挿入が防止される。この場合、ロアケース２の側壁６、７の外側面間の幅寸法は、カード用コネクタ３１の挿入口３４の幅寸法に合わせて形成されているため、カード用アダプタ１は、後端側においてのみカード用コネクタ３１の挿入口３４への挿入が規制される。したがって、カード用アダプタ１が前後逆に挿入された場合のみ挿入規制されるため、カード用アダプタ１のカード用コネクタ３１に対する誤挿入が防止される。
【００３５】
アッパーケース３の側面には、カード用コネクタ３１のスライド部材４２の板バネ４５に係止される切欠部２５が形成されている。また、アッパーケース３の上壁２６には、背面から装着空間に向けて突出し、装着位置において通信モジュール用カード５１に当接する突き当て部２７が形成されている。突き当て部２７の挿入口４側には、挿入方向に対して直交する幅方向に延在する直交突き当て面２８と、その直交突き当て面２８に対して傾斜する傾斜突き当て面２９とが形成されている。
【００３６】
傾斜突き当て面２９は、直交突き当て面２８の延在方向の一端部において、挿入口４側に向かって装着空間を広げるように約４５度に傾斜している。この構成により、通信モジュール用カード５１の正挿入時には、直交突き当て面２８が通信モジュール用カード５１の前端面に当接され、傾斜突き当て面２９が通信モジュール用カード５１の傾斜面５２に当接されて、通信モジュール用カード５１が装着位置に案内される。一方、通信モジュール用カード５１の逆挿入時には、傾斜突き当て面２９により通信モジュール用カード５１の後端面が挿入規制され、誤挿入が防止される。
【００３７】
また、突き当て部２７には、上壁２６に設けられた複数のアンテナ１１に連なる複数のピン端子１２が保持されており、各ピン端子１２は、直交突き当て面２８から挿入口４側に向かって延在している。各ピン端子１２は、通信モジュール用カード５１が装着位置まで挿入されると、通信モジュール用カード５１の前端面に形成されたソケット部に接続される。
【００３８】
上壁２６の挿入口４側の略半部には、インサート成形により複数のアンテナ１１が保持されている。各アンテナ１１は、金属板によりミアンダ状に形成されており、上壁２６内においてアッパーケース３の幅方向に延在している。また、各アンテナ１１は、それぞれインサート成形により上壁２６に保持された各接続ライン１３を介してピン端子１２に接続されている。この場合、各アンテナ１１および各接続ライン１３が、アッパーケース３の上壁２６に設けられるため、ロアケース２の側壁６、７にアンテナ１１および各接続ライン１３を設ける構成と比較して、カード用アダプタ１の幅寸法を小さくすることが可能となる。
【００３９】
したがって、カード用アダプタ１が装着されるカード用コネクタ３１の幅寸法を小さくすることができ、カード用コネクタ３１の基板６１の設置面における設置スペースを省スペース化することが可能となる。また、各アンテナ１１は、蓋体３３の略前半部側で保持され、カード用コネクタ３１の挿入口３４から露出されるため、電波の送受信感度が向上される。
【００４０】
図５（ａ）、（ｂ）に示すように、このように構成されたカード用アダプタ１の挿入口４に通信モジュール用カード５１が挿入されると、通信モジュール用カード５１が装着位置に案内される。このとき、通信モジュール用カード５１の複数のソケット部に複数のアンテナ１１に連なるピン端子１２が挿入され、通信モジュール用カード５１の複数のパッド５４に、カード用コネクタ３１に接続されるコンタクト端子１９が接触される。
【００４１】
さらに、通信モジュール用カード５１が装着されたカード用アダプタ１がカード用コネクタ３１に挿入されると、カード用アダプタ１がスライド部材４２と共にスライドして装着位置に案内される。このとき、カード用アダプタ１の複数のコンタクト端子１９に連なる複数のパッド１７に、基板６１に接続される複数のコンタクト端子４１が接触される。
【００４２】
通信モジュール用カード５１に内蔵された制御部は、複数のピン端子１２を介してアンテナ１１に接続され、カード用アダプタ１、カード用コネクタ３１および基板６１を介して携帯用電子機器に接続される。そして、制御部においてアンテナ１１に送受信される高周波信号が処理されると共に、携帯用電子機器との間で信号処理が制御されることで、携帯用電子機器に無線通信機能が付加される。
【００４３】
以上のように、本実施の形態に係るカード用アダプタ１によれば、アンテナ１１が設けられるため、アンテナ１１分だけ装着対象となる通信モジュール用カード５１のサイズを小型化することが可能となる。また、カード用アダプタ１は、カード用コネクタ３１に装着された状態で、基板６１の設置面に対向する上壁２６にアンテナ１１および接続ライン１３が設けられるため、設置面に垂直な側壁６、７の壁厚を大きくとる必要がない。したがって、カード用アダプタ１の設置面に対する投影面積を小さくすることにより、カード用アダプタ１が装着されるカード用コネクタ３１の設置スペースを省スペース化することが可能となる。
【００４４】
なお、上記した各実施の形態においては、通信モジュール用カードをＳＤメモリカードとして説明したが、この構成に限定されるものではない。アンテナと携帯用電子機器との間の信号処理を制御する制御部を有するカードであれば、どのようなカードにも対応可能である。
【００４５】
また、上記した各実施の形態においては、アッパーケースを一部材で形成する構成としたが、この構成に限定されるものではない。アッパーケースをロアケースの蓋体として機能する蓋部と蓋部の上面に取り付けられる取付部材とで形成し、取付部材にアンテナおよびアンテナ接続ラインを設けるようにしてもよい。この構成により、アンテナが設けられた取付部材が蓋部に外側から取り付けられるため、アンテナを有さない既存のカード用アダプタに簡単にアンテナを実装させることが可能となる。また、アンテナは、電波の感度を確認しつつ設計されるが、アンテナが所望の感度が得られない場合に、取付部材を介してアンテナを取り外すことができるため、カード用アダプタを大幅に設計変更することなく感度調整すること可能となる。
【００４６】
また、上記した各実施の形態においては、単一の規格のカードに対応したカード用コネクタを例示して説明したが、この構成に限定されるものではない。本発明を複数の規格のカードに対応したコンバイン型のカード用コネクタに適用することも可能である。
【００４７】
また、上記した実施の形態においては、カード用アダプタにおいてアッパーケースの上壁にアンテナを設ける構成としたが、この構成に限定されるものではない。カード用アダプタの筐体部分において、基板の設置面に対向する壁部にアンテナが設けられる構成であればよく、ロアケースの底壁にアンテナを設けてもよいし、アッパーケースの上壁およびロアケースの底壁の両方にアンテナを設ける構成としてもよい。
【００４８】
また、上記した実施の形態においては、カード用アダプタにおいて基板の設置面に対向する壁部の挿入口側の略半部にアンテナを設ける構成としたが、この構成に限定されるものではない。電波を受信可能な位置であれば、アンテナを基板の設置面に対向する壁部のどの位置に設けてもよい。
【００４９】
また、上記した各実施の形態においては、金属板によりミアンダ形状のアンテナを形成する構成としたが、この構成に限定されるものではない。例えば、図６に示すように、カード用アダプタ７１の幅方向に延在する金属板を側面視Ｃ字状に屈曲してアンテナ７５を立体的に形成し、このアンテナ７５の上板７６および側板７７がロアケース７２の底壁の上面および挿入口７４側の端面から露出される構成としてもよい。この場合、アンテナ７５が立体的に形成されると共に、カード用アダプタ７１の挿入口７４側に露出されるため、多方向の電波を受けることが可能となる。
【００５０】
また、上記した実施の形態においては、カード用コネクタにおいて基板の設置面に対向する壁部にアンテナがインサート成形される構成としたが、この構成に限定されるものではない。基板の設置面に対向する壁部にアンテナが設けられていればよく、アンテナが部分的に露出する構成としてもよい。
【００５１】
また、上記した実施の形態においては、カード用コネクタの底壁が基板に設置される構成としたが、この構成に限定されるものではない。カード用コネクタが基板に対して縦置きされ、側壁が基板に設置される構成としてもよい。この場合、カード用アダプタの側壁にアンテナを設けるようにする。
【００５２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５３】
以上説明したように、本発明は、装着対象となる通信モジュール用カードの小型化を図ると共に、装着先のカード用コネクタの省スペース化を図ることができるという効果を有し、特に、無線通信用のアンテナを内蔵したカード用アダプタに有用である。
【符号の説明】
【００５４】
１、７１  カード用アダプタ
２、７２  ロアケース（筐体）
３、７３  アッパーケース（筐体）
４、７４  挿入口
５  底壁（設置面に対向する壁部）
１１、７５  アンテナ
１２  ピン端子
１３  接続ライン（アンテナ接続部）
１５  端子部
２６  上壁（設置面に対向する壁部）
３１  カード用コネクタ
５１  通信モジュール用カード
７６  上板
７７  側板
【図１】
2010250654.tif 000003
【図２】
2010250654.tif 000004
【図３】
2010250654.tif 000005
【図４】
2010250654.tif 000006
【図５】
2010250654.tif 000007
【図６】
2010250654.tif 000008
【図７】
2010250654.tif 000009